(57)【要約】【課題】高静圧の条件下で使用しても低騒音となる遠心ファンモータを提供する。【解決手段】回転する遠心ファン４と、空気を取り込むための吸気口６と、空気を排気するための排気口７とを備えた遠心ファンモータ１において、遠心ファン４の回転軸３と吸気口６の中心軸１４とを偏芯させたことを特徴とし、遠心ファン４の回転軸３を座標の原点０として、第１象限１０,第２象限１１,第３象限１２,第４象限１３に区分けし、第１象限１０に排気口７を位置させた場合に、吸気口６の中心軸１４を第２象限１１又は第３象限１２に位置させたことにより、遠心ファンモータ１内部に取り込まれて、逆流した空気が吸気口６から流出することを抑制することにより、遠心ファンモータ１における流量の低下を防止するとともに、空気が逆流する場合に発生する騒音を低減させる。【選択図】図１
2009036049.tif 000002
【特許請求の範囲】
【請求項１】
回転する送風体と、空気を取り込むための吸気部と、空気を排気するための排気部とを備えた遠心ファンモータにおいて、
前記送風体と前記吸気部とを偏芯させたことを特徴とし、
前記送風体の回転軸を座標の原点として、複数の象限に区分けし、
所定の象限に前記排気部を位置させた場合に、
前記吸気部を前記所定の象限とは別の象限に位置させたことを特徴とする遠心ファンモータ。
【発明の詳細な説明】
【技術分野】
【０００１】
本発明は、遠心ファンを備え、所定圧状態で使用可能な吸排気を行う遠心ファンモータに関する。
【背景技術】
【０００２】
従来、様々な電気機器に搭載される遠心ファンモータがある（特許文献１）。
【０００３】
図３乃至図５に従来の遠心ファンモータを示すが、１０１は遠心ファンモータであり、回転軸１０４を中心に回転する送風体である遠心ファン１０５を設けたものである。遠心ファン１０５に空気を送り込む吸気部１０７が設けられ、さらに吸気部１０７の所定方向には、空気を排出する排気部１０８が設けられている。
【０００４】
また図６及び図７に示すように、従来の遠心ファンモータ１０１は、遠心ファン１０５を所定方向へと回転させると、遠心ファン１０５の所定方向側に設けた吸気部１０７から空気Ｆが取込まれる。この空気Ｆは所定方向に送り出され、遠心ファンモータ１０１の排気部１０８から遠心ファンモータ１０１ひいてはこの遠心ファンモータ１０１が搭載される電気機器の外部に排出されるようになっている。
【０００５】
そして、図３及び図６に示すように従来の遠心ファンモータ１０１では、遠心ファン１０５と、吸気部１０７とは、吸気部１０７の所定方向において一致したものであった。
【特許文献１】特開２００６‐１７７２３５号公報
【発明の開示】
【発明が解決しようとする課題】
【０００６】
しかしながら、従来の遠心ファンモータ１０１では、図８及び図９に示すように、所定圧域で使用するという、つまり各種電気機器にこの遠心ファンモータ１０１を搭載して使用する場合、特に吸気・排気を行うような電気機器に遠心ファンモータ１０１を搭載し、電気機器を運転する場合において、遠心ファンモータ１０１内部に取り込まれた空気Ｆが一部逆流して、その逆流した空気Ｇが吸気部１０７から流出する現象が発生する。この現象は特に所定静圧の場合に顕著となり、空気が逆流した場合に生じる騒音（逆流音）が発生し、遠心ファンモータ１０１及び搭載実機（電気機器）の騒音が悪化するという問題点があった。
【０００７】
本発明は、上記問題点を解決して、所定圧の条件下で使用しても低騒音となる遠心ファンモータを提供することを目的とする。
【課題を解決するための手段】
【０００８】
請求項１の発明の遠心ファンモータでは、回転する送風体と、空気を取り込むための吸気部と、空気を排気するための排気部とを備えた遠心ファンモータにおいて、前記送風体と前記吸気部とを偏芯させたことを特徴とし、前記送風体の回転軸を座標の原点として、複数の象限に区分けし、所定の象限に前記排気部を位置させた場合に、前記吸気部を前記所定の象限とは別の象限に位置させたことを特徴とする。
【発明の効果】
【０００９】
請求項１の発明によれば、遠心ファンモータ内部に取り込まれて、逆流した空気が吸気部から流出することを抑制することにより、遠心ファンモータにおける、空気が逆流する場合に発生する騒音を低減させる。
【発明を実施するための最良の形態】
【００１０】
以下、添付図面を参照しながら、本発明における遠心ファンモータ１の好ましい実施例を説明する。
【００１１】
図１に示すように、遠心ファンモータ１は、複数枚のファンブレード２を外周に備え、図示しないモータにより駆動されることにより回転軸３を中心に回転する送風体たる遠心ファン４を扁平状のケーシング５に収容したものである。この遠心ファン４には、例えばシロッコファン、ターボファン、ラジアルファンが適用される。
【００１２】
ここで、ケーシング５には、遠心ファン４の回転軸３方向に設けられ、円形に形成されたベルマウス状の吸気部たる吸気口６と、その吸気口６と直交し、且つ遠心ファン４の回転軸３と直交する方向に形成された排気部たる排気口７と、遠心ファン４の外周に、筒状に形成されたノーズ部８を終点とした渦巻状の通風路を形成するスクロール部９とを備えている。尚、排気口７はノーズ部８の一側を開口させて形成したものである。
【００１３】
次に、ケーシング５に形成された吸気口６と、ケーシング５に収容された遠心ファン４との位置関係について説明する。
【００１４】
ケーシング５において、遠心ファン４の回転軸３を座標の原点０として、図１中の右上方より反時計回りに、第１象限１０,第２象限１１,第３象限１２,第４象限１３に区分した場合に、吸気口６の中心たる中心軸１４を、座標の原点０から位置をずらして、第４象限１３に位置させており、また排気口７は第１象限１０に位置している。
【００１５】
このように、ケーシング５において、スクロール部９におけるノーズ部近傍１５との距離を、遠心ファン４の回転軸３より吸気口６の中心軸１４を離して配置している。
【００１６】
以上の構成の遠心ファンモータ１の作用を述べると、図示しないモータを通電させて遠心ファン４を回転させると、ケーシング５において遠心ファン４の回転軸３方向に形成された吸気口６からケーシング５内部に空気が取り込まれる。この吸気口６から取り込まれた空気は、遠心ファン４の回転に伴い、遠心ファン４の外周方向に送り出され、スクロール部９の通風路に沿ってケーシング５内部を案内されて、通風路の終点にあるノーズ部８を通過して遠心ファン４の回転軸３と直交するように形成された排気口７よりケーシング５外部へ排出される。
【００１７】
スクロール部９では、渦巻状に空気を案内する通風路の終点となるノーズ部近傍１５において、スクロール部９の壁面と遠心ファン４のファンブレード２の先端とが近接しており、そこでは内圧が高くなりやすく、通風路の空気が逆流し、逆流した空気が吸気口６から流出しようとする。
【００１８】
ここで、ケーシング５において、遠心ファン４の回転軸３を座標の原点０として、図中の右上方より反時計回りに、第１象限１０,第２象限１１,第３象限１２,第４象限１３に区分した場合に、吸気口６の中心軸１４を、座標の原点０から位置をずらして、第４象限１３に位置させており、また排気口７は第１象限１０に位置している。このようにして、ケーシング５において、スクロール部９におけるノーズ部近傍１５との距離を、遠心ファン４の回転軸３より吸気口６の中心軸１４を離間させて配置して、ノーズ部近傍１５から吸気口６の周縁６Ａまで距離を離して形成しており、逆流した空気をケーシング５の第１象限１０,第４象限１３側によって覆うことにより、吸気口６から流出しないように設けられている。この場合、逆流した空気が吸気口６から流出することを抑制することにより、遠心ファンモータ１の通風路における流量の低下を防止するとともに、空気が逆流する場合に発生する騒音（以下、逆流音と呼称）を低減する。
【００１９】
そのため、ケーシング５内部の通風路に負荷（管路負荷）が生じる場合、つまりエアコンディショナ（エアコン）、パーソナルコンピュータ（パソコン）等の各種電気機器に本発明の遠心ファンモータ１を搭載して使用する場合、特に吸気・排気を行うようなエアコン・除湿機・加湿器・空気清浄機等の各種空気調和装置等のような電気機器に本発明の遠心ファンモータ１を搭載し、電気機器をフリーエア（開放）又は全閉の間で運転する場合のような搭載実機システムインピーダンスの場合でも、空気の逆流を抑えて遠心ファンモータ１における風量の低下を防ぐとともに、空気が逆流することで起こる逆流音の発生を低減させる。
【００２０】
図２は、本実施例と従来例における風量―静圧特性を示したもので、図中破線で示した本実施例における遠心ファンモータ１は、図中実線で示した従来例における遠心ファンモータ１０１（図３乃至図５参照）と比較して、風量が０．０〜約０．７[ｍ＾３／ｍｉｍ]の範囲にある、いわゆる高静圧域において、風量の値が小さくなるほど、つまり、風量が０．０[ｍ＾３／ｍｉｍ]に近づくほどに、本実施例の遠心ファンモータ１の静圧の値は高くなる。この場合、本実施例の遠心ファンモータ１は高静圧域において、優れた送風能力を備えていることがわかる。
【００２１】
以上のように本実施例では、回転する送風体たる遠心ファン４と、空気を取り込むための吸気部たる吸気口６と、空気を排気するための排気部たる排気口７とを備えた遠心ファンモータ１において、遠心ファン４の回転軸３と吸気口６の中心たる中心軸１４とを偏芯させたことを特徴とし、遠心ファン４の回転軸３を座標の原点０として、第１象限１０,第２象限１１,第３象限１２,第４象限１３の複数の象限に区分けし、所定の象限たる第１象限１０に排気口７を位置させた場合に、吸気口６の中心軸１４を前記所定の象限たる第１象限１０とは別の象限たる第２象限１１又は第３象限１２に位置させたことにより、遠心ファンモータ１内部に取り込まれて、逆流した空気が吸気口６から流出することを抑制することにより、遠心ファンモータ１における流量の低下を防止するとともに、空気が逆流する場合に発生する騒音を低減させる。
【００２２】
なお、本発明は上記実施例に限定されるものではなく、本発明の要旨の範囲内において種々の変形実施が可能である。例えば本実施例では図１に示すように、第３象限１２に吸気口６の中心軸１４を配置しているが、これに限定されるものではなく、第２象限１１に吸気口６の中心軸１４を配置してもよい。また、遠心ファンモータを遠心ファンの軸方向に対して両側から吸気可能とする両面吸気型の遠心ファンモータに適用することも可能である。
【図面の簡単な説明】
【００２３】
【図１】本発明の一実施例における遠心ファンモータの平面図である。
【図２】従来例と本実施例における風量と静圧との相関関係を示すグラフである。
【図３】従来例における遠心ファンモータの平面図である。
【図４】同上、遠心ファンモータの側面図である。
【図５】同上、遠心ファンモータの断面図である。
【図６】従来例において、遠心ファンモータにおける空気の流れを示す平面図である。
【図７】従来例において、遠心ファンモータにおける空気の流れを示す断面図である。
【図８】従来例において、遠心ファンモータの高静圧状態における空気の流れを示す断面図である。
【図９】従来例において、遠心ファンモータの高静圧状態における空気の流れを示す断面図である。
【符号の説明】
【００２４】
１  遠心ファンモータ
３  回転軸
４  遠心ファン（送風体）
６  吸気口（吸気部）
７  排気口（排気部）
１０  第１象限
１１  第２象限
１２  第３象限
１３  第４象限
１４  中心軸（吸気部の中心）
【図１】
2009036049.tif 000003
【図２】
2009036049.tif 000004
【図３】
2009036049.tif 000005
【図４】
2009036049.tif 000006
【図５】
2009036049.tif 000007
【図６】
2009036049.tif 000008
【図７】
2009036049.tif 000009
【図８】
2009036049.tif 000010
【図９】
2009036049.tif 000011